(57)【特許請求の範囲】
【請求項１】
交流電源から負荷に供給される交流電力の制御を行う交流電力制御方法において、前記交流電力波形のゼロクロス点でスイッチング制御を行うと共に、
任意の一定周期で交流電力波形を分割し、この分割された１周期を基本単位として、ゼロクロス点毎のスイッチングで得られる電力供給部と非供給部とで組み合わされる電力パターンを構成し、この電力パターンを繰り返すことで、負荷に供給される交流電力の制御を行う工程を備え、
前記基本単位は、前記交流電源の交流波形の３／２周期分であり、
前記基本単位が前記非供給部のみで構成される電力パターンと、前記基本単位内の１個目の半波のみを前記電力供給部とした電力パターンと、前記基本単位内の１個目と２個目の半波のみを前記電力供給部とした電力パターンと、前記基本単位内の３個の半波全てを前記電力供給部とした電力パターンとを切換えて用いると共に、電力パターンの切換えは電力の大きさで隣り合う電力パターンとの間で行うことを特徴とする交流電力制御方法。
【請求項２】
交流電源から負荷に供給される交流電力の制御を行う交流電力供給装置において、
前記交流電力波形のゼロクロス点でスイッチング制御を行うスイッチング回路と、
任意の一定周期で交流電力波形を分割し、この分割された１周期を基本単位として、ゼロクロス点毎のスイッチングで得られる電力供給部と非供給部とで組み合わされる電力パターンを構成し、この電力パターンを繰り返すことで、負荷に供給される交流電力の制御を行う電力パターン生成回路とを備え、
前記基本単位は、前記交流電源の交流波形の３／２周期分であり、
前記電力パターン生成回路は、前記基本単位が前記非供給部のみで構成される電力パターンと、前記基本単位内の１個目の半波のみを前記電力供給部とした電力パターンと、前記基本単位内の１個目と２個目の半波のみを前記電力供給部とした電力パターンと、前記基本単位内の３個の半波全てを前記電力供給部とした電力パターンとを切換えて用いると共に、電力パターンの切換えは電力の大きさで隣り合う電力パターンとの間で行うことを特徴とする交流電力供給装置。
【請求項３】
負荷の状態を検知する検知部と、
検知部からの検知出力を受けて、前記負荷の状態が設定値になるような電力パターンの組み合わせに切換える切換制御回路とをさらに備えたことを特徴とする請求項２記載の交流電力供給装置。
【請求項４】
前記設定値を変更する設定部を有することを特徴とする請求項３記載の交流電力供給装置。
【請求項５】
前記負荷はヘアードライヤーのヒータであり、前記検知部が温度センサであることを特徴とする請求項３又は４記載の交流電力供給装置。
【発明の詳細な説明】
【０００１】
【発明の属する技術分野】
本発明は、交流電源から負荷に供給される交流電力の制御を行う交流電力制御方法及び交流電力供給装置に関する。
【０００２】
【従来の技術】
従来、交流電源から交流電力を供給して負荷を駆動する場合における電力制御としては、交流波形の各周期内でスイッチングを行う位相制御や、周期に関わりなく、適宜オン／オフする制御が採用されていた。
【０００３】
図１９（ａ）（ｂ）は、かかる従来の制御方法を説明するための図で、位相制御は、図（ａ）に示すように、交流電力波形の半波長分の適宜の位相角位置で制御することでハッチングに示す期間だけ交流電力を負荷に供給するようにしたもので、上記位相角を制御側からコントロールすることで交流電力の供給量を制御するものである。オン／オフ制御は、図（ｂ）に示すように、周期的な交流電力波形に対して適宜の期間だけ制御信号を出力して、その間ハッチングで示すように交流電力を負荷に供給し得るようにしたものである。
【０００４】
【発明が解決しようとする課題】
しかしながら、上述の従来方法において、図（ａ）の位相制御方式では常に、また図（ｂ）のオン、オフ制御方式ではそれらのタイミングによっては電流を強制的に遮断することになって高調波電流及びフリッカーの発生レベルが高くなり、国際電気標準機関が規定するＩＥＣ６１００-３-２、ＩＥＣ６１００-３-３に定める規格を満足できないという問題があった。
【０００５】
本発明は、上記に鑑みてなされたもので、供給する交流電力の制御を行いながらも、高調波電流やフリッカーの発生を可及的に抑制し得る交流電力制御方法、及び該制御方法を採用した交流電力供給装置を提供することを目的とするものである。
【０００６】
【課題を解決するための手段】
請求項１記載の発明は、交流電源から負荷に供給される交流電力の制御を行う交流電力制御方法において、前記交流電力波形のゼロクロス点でスイッチング制御を行うと共に、任意の一定周期で交流電力波形を分割し、この分割された１周期を基本単位として、ゼロクロス点毎のスイッチングで得られる電力供給部と非供給部とで組み合わされる電力パターンを構成し、この電力パターンを繰り返すことで、負荷に供給される交流電力の制御を行う工程を備え、前記基本単位は、前記交流電源の交流波形の３／２周期分であり、前記基本単位が前記非供給部のみで構成される電力パターンと、前記基本単位内の１個目の半波のみを前記電力供給部とした電力パターンと、前記基本単位内の１個目と２個目の半波のみを前記電力供給部とした電力パターンと、前記基本単位内の３個の半波全てを前記電力供給部とした電力パターンとを切換えて用いると共に、電力パターンの切換えは電力の大きさで隣り合う電力パターンとの間で行うことを特徴とするものである。
【０００７】
この構成によれば、負荷への電力供給が常に交流電力波形のゼロクロス時点で切り換えられるので、スイッチングノイズが低減され、また、スイッチングによる電流波形の乱れも生じないことから高調波電流も低減される。
【０００８】
また、この構成によれば、分割された１周期の基本単位のなかで種々の電力パターンを準備しておき、これを適宜切り換えることで負荷に対し離散的な電力の供給制御が可能となる。
【０００９】
また、この構成によれば、交流波形を奇数に分割することで供給される交流電力波形の上下の面積が等しくなるので、高調波電流が低減される。また、電力変化が少ないためフリッカーを低減することが可能となる。
【００１０】
また、この構成によれば、１個の電力パターンの切り換えによる電力変化に比してさらに細かな電力供給制御ができることとなる。
【００１１】
また、この構成によれば、隣り合う電力パターンとの電力変化が少なくなるので、その分、フリッカーが低減される。
【００１２】
また、この構成によれば、切り換え比が適宜設定されているので、任意の供給電力を得ることが可能となる。
【００１３】
請求項２記載の発明は、交流電源から負荷に供給される交流電力の制御を行う交流電力供給装置において、前記交流電力波形のゼロクロス点でスイッチング制御を行うスイッチング回路と、任意の一定周期で交流電力波形を分割し、この分割された１周期を基本単位として、ゼロクロス点毎のスイッチングで得られる電力供給部と非供給部とで組み合わされる電力パターンを構成し、この電力パターンを繰り返すことで、負荷に供給される交流電力の制御を行う電力パターン生成回路とを備え、前記基本単位は、前記交流電源の交流波形の３／２周期分であり、前記電力パターン生成回路は、前記基本単位が前記非供給部のみで構成される電力パターンと、前記基本単位内の１個目の半波のみを前記電力供給部とした電力パターンと、前記基本単位内の１個目と２個目の半波のみを前記電力供給部とした電力パターンと、前記基本単位内の３個の半波全てを前記電力供給部とした電力パターンとを切換えて用いると共に、電力パターンの切換えは電力の大きさで隣り合う電力パターンとの間で行うことを特徴とするものである。
【００１４】
請求項３記載の発明は、請求項２において、負荷の状態を検知する検知部と、検知部からの検知出力を受けて、前記負荷の状態が設定値になるような電力パターンの組み合わせに切換える切換制御回路とをさらに備えたことを特徴とするものである。この構成によれば、負荷の状態（出力）を検知し、設定値になるように電力パターンの切り換えが細かくできることになる。
【００１５】
請求項４記載の発明は、請求項５において、前記設定値を変更する設定部を有することを特徴とするものであり、これにより負荷状態を所望の状態に調節設定することが可能となる。
【００１６】
請求項５記載の発明は、前記負荷がヘアードライヤーのヒータであり、前記検知部が温度センサであることを特徴とするものであり、これにより、ヘアードライヤのような小型の機器に容易に応用することが可能となる。
【００１７】
【発明の実施の形態】
図１は、本発明に係る交流電力供給装置のブロック図、図２は、その回路構成図である。
【００１８】
図１において、１は例えば所定周波数を有する商用の交流電源で、２は交流電源からの交流電力をスイッチングするスイッチング回路、３はスイッチング回路２に対して交流波形のゼロクロスタイミングでスイッチング動作を行わせる制御信号を出力する制御回路で、スイッチング制御された電力が負荷４へ供給されるようになっている。負荷４は交流電力の供給を受けて、供給量に応じて所定の仕事をする、例えばヒータ等である。
【００１９】
図２において、スイッチング回路２は、交流電源１と負荷４とを結ぶ電源供給ラインＬに介設され、ラインＬに接続されたトラアック２ａとゼロクロス点検出用のフォトトライアック部５とで構成されている。フォトトライアック部５は発光部としての発光ダイオード５１とフォトトライアック５２で構成されている。
【００２０】
発光ダイオード５１はアノードが定電圧源に接続され、カソードが制御回路３の制御信号の出力端子に接続されている。この発光ダイオード５１は制御回路３の出力端子にハイレベルが出力されている間は電流が流れずにオフ状態となり、ローレベルが出力されている間は電流が流れて発光するようになっている。フォトトライアック５２は一端がラインＬに、他端がトライアック２ａのゲートＧに接続され、発光ダイオード５１のオンによる発光光を受けた直後の交流電力波形がゼロクロスを通過する時点でオンしてゲートＧを駆動させ、トライアック２ａをオンさせ、一方、発光ダイオード５１がオフになった直後の交流電力波形がゼロクロスを通過した時点でオフになってトライアック２ａをオフにするものである。なお、スイッチング回路２としては、交流波形のゼロクロスタイミングでスイッチングを行わせる回路であれば種々の回路が採用可能である。
【００２１】
図３は、交流電力制御の基本動作を説明するためのタイミングチャートで、（ａ）は制御回路３の出力端子から出力される制御信号を示し、（ｂ）はフォトトライアック５２の動作状態をオンオフで示し、（ｃ）は負荷４へ供給される電力波形（ハッチング期間）を示している。制御回路３は、例えば予め設計された期間毎にオンオフを切換えるようになっている。ここで、図３の制御動作の一例を説明すると、ｔ１時点で制御回路３の出力端子をそれまでのローレベルからハイレベルに復帰すると、その直後のゼロクロス点であるｔ２時点（のタイミング）でフォトトライアック５２がオフ状態に変化して交流電力の負荷４への供給が遮断される。次いで、ｔ３時点で制御回路３の出力端子をハイレベルからローレベルに反転すると、その直後のゼロクロス点であるｔ４時点でフォトトライアック５２がオン状態に変化し、交流電力の負荷４への供給が開始される。その後のｔ５時点で制御回路３の出力端子をローレベルからハイレベルに復帰させると、その直後のゼロクロス点であるｔ６時点でフォトトライアック５２がオフ状態に変化して交流電力の負荷４への供給が遮断される。この結果、ｔ１時点からｔ６時点までに交流電力波形の半周期すなわち半波６個分に対して、最初の半波３個分の期間で電力が遮断され、続く半波３個分の期間で電流が負荷４に供給される。従って、この期間を見れば、電力は交流電源１の１／２の電力が供給されたことになる。このように、ゼロクロスのタイミングでスイッチングを行うため、高調波電流が少なくなり、また、スイッチングに伴うノイズの放射も少なくなる。
【００２２】
図４は本発明に係る交流電力制御方法の第２実施形態を示す波形図である。なお、回路構成は図２に示す回路と同一である。本実施形態では、制御回路３は交流電源１の交流電力波形を、図４（ａ）の破線に示すように、２周期分（半波４個分）で分割し、これを基本単位とする電力パターンの制御信号を出力するようになっている。電力パターンは半波１個毎に負荷４へ電力を供給（オン）する電力供給部（図４においてハッチングを付した部分）と、電力供給を遮断（オフ）する非供給部との組み合わせで種々のものが構成されている。
【００２３】
図４（ａ）は、制御回路３の出力端子への制御信号が全期間に亘ってハイ状態に維持され、交流電源１からの交流電力が負荷４へ全く供給されない状態を示している。図４（ｂ）は、制御回路３の出力端子から基本単位の最初の半波の立ち上がりとなるゼロクロス点に対して少なくとも多少進相した時点（少なくとも半周期以内。図３におけるゼロクロス点ｔ４に対するｔ３時点参照）でロー状態に反転し、半周期でハイ状態に復帰する制御信号を出力することによって得られるもので、基本単位内の１個目の半波をオンした状態を示している。図４（ｃ）は、図４（ｂ）と同じ時点で制御信号をロー状態に反転させると共に１周期でハイ状態に復帰する制御信号を出力することによって得られるもので、基本単位内において１個目と２個目の半波をオンした状態を示している。図４（ｄ）は、図４（ｂ）と同じ時点で制御信号をロー状態に反転させると共に１．５周期でハイ状態に復帰する制御信号を出力することによって得られるもので、基本単位内において１個目から３個目までの半波をオンした状態を示している。図４（ｅ）は、全期間ロー状態の制御信号を出力することによって得られるもので、基本単位内の４個の半波全てをオンした状態を示している。今、交流電源１の出力電圧をＡＣ１００Ｖとし、負荷４の抵抗を１０Ωとした場合、負荷４に対して、図４（ａ）では０Ｗ、図４（ｂ）では２５０Ｗ、図４（ｃ）では５００Ｗ、図４（ｄ）では７５０Ｗ、図４（ｅ）では１０００Ｗと制御した電力を供給することができる。
【００２４】
図５は本発明に係る交流電力制御方法の第３実施形態を示す波形図である。なお、回路構成は図２に示す回路と同一である。本実施形態では、制御回路３は交流電源１の交流電力波形を、図５（ａ）の破線に示すように、２．５周期分（半波５個分）で分割し、これを基本単位とする電力パターンの制御信号を出力するようになっている。電力パターンは半波１個毎に負荷４へ電力を供給（オン）する電力供給部（図５においてハッチングを付した部分）と、電力供給を遮断（オフ）する非供給部との組み合わせで種々のものが構成されている。
【００２５】
図５（ａ）は、制御回路３の出力端子への制御信号が全期間に亘ってハイ状態に維持され、交流電源１からの交流電力が負荷４へ全く供給されない状態を示している。図５（ｂ）は、制御回路３の出力端子から基本単位の最初の半波の立ち上がりとなるゼロクロス点に対して少なくとも多少進相した時点（少なくとも半周期以内）でロー状態に反転し、半周期でハイ状態に復帰する制御信号を出力することによって得られるもので、基本単位内の１個目の半波をオンした状態を示している。図５（ｃ）は、図５（ｂ）と同じ時点で制御信号をロー状態に反転させると共に１周期でハイ状態に復帰する制御信号を出力することによって得られるもので、基本単位内において１個目と２個目の半波をオンした状態を示している。図５（ｄ）は、図５（ｂ）と同じ時点で制御信号をロー状態に反転させると共に１．５周期でハイ状態に復帰する制御信号を出力することによって得られるもので、基本単位内において１個目から３個目までの半波をオンした状態を示している。図５（ｅ）は、図５（ｂ）と同じ時点で制御信号をロー状態に反転させると共に１周期でハイ状態に復帰する制御信号を出力することによって得られるもので、基本単位内において１個目から４個目までの半波をオンした状態を示している。図５（ｆ）は、全期間ロー状態の制御信号を出力することによって得られるもので、基本単位内の５個の半波全てをオンした状態を示している。今、交流電源１の出力電圧をＡＣ１００Ｖとし、負荷４の抵抗を１０Ωとした場合、負荷４に対して、図５（ａ）では０Ｗ、図５（ｂ）では２００Ｗ、図５（ｃ）では４００Ｗ、図５（ｄ）では６００Ｗ、図５（ｅ）では８００Ｗ、図５（ｆ）では１０００Ｗと制御した電力を供給することができる。
【００２６】
この実施形態では、負荷４に供給される交流電力波形の正側と負側の面積が等しくなっているため波形の歪みが少なく、また高調波電流も小さくなる。
【００２７】
図６は本発明に係る交流電力制御方法の第４実施形態を示す波形図である。なお、回路構成は図２に示す回路と同一である。本実施形態では、制御回路３は交流電源１の交流電力波形を、図６（ａ）の破線に示すように、１．５周期分（半波３個分）で分割し、これを基本単位とする電力パターンの制御信号を出力するようになっている。電力パターンは半波１個毎に負荷４へ電力を供給（オン）する電力供給部（図６においてハッチングを付した部分）と、電力供給を遮断（オフ）する非供給部との組み合わせで種々のものが構成されている。
【００２８】
図６（ａ）は、制御回路３の出力端子への制御信号が全期間に亘ってハイ状態に維持され、交流電源１からの交流電力が負荷４へ全く供給されない状態を示している。図６（ｂ）は、制御回路３の出力端子から基本単位の最初の半波の立ち上がりとなるゼロクロス点に対して少なくとも多少進相した時点（少なくとも半周期以内）でロー状態に反転し、半周期でハイ状態に復帰する制御信号を出力することによって得られるもので、基本単位内の１個目の半波をオンした状態を示している。図６（ｃ）は、図６（ｂ）と同じ時点で制御信号をロー状態に反転させると共に１周期でハイ状態に復帰する制御信号を出力することによって得られるもので、基本単位内において１個目と２個目の半波をオンした状態を示している。図６（ｄ）は、全期間ロー状態の制御信号を出力することによって得られるもので、基本単位内の３個の半波全てをオンした状態を示している。今、交流電源１の出力電圧をＡＣ１００Ｖとし、負荷４の抵抗を１０Ωとした場合、負荷４に対して、図６（ａ）では０Ｗ、図６（ｂ）では３３３Ｗ、図６（ｃ）では６６７Ｗ、図６（ｄ）では１０００Ｗと制御した電力を供給することができる。
【００２９】
この実施形態では、負荷４に供給される交流電力波形の正側、負側の面積が等しくなっているため波形の歪みが少なく、また高調波電流も小さくなる。また、図６（ａ）、（ｄ）については、電力の変化がないためフリッカーは生じないし、図６（ａ）から（ｄ）への各電力パターン間では、電力供給部と非供給部との間の電力差がそれぞれ半波形分（３３３Ｗ）しかないためフリッカーの値を小さくでき、これによりフリッカーの問題が軽減できる。
【００３０】
図７、図８は本発明に係る交流電力制御方法の第５実施形態を示す波形図である。なお、回路構成は図２に示す回路と同一である。本実施形態では、制御回路３は交流電源１の交流電力波形として、図７（ａ）の破線に示すように、１．５周期分（半波３個分）で分割し、これを基本単位とする電力パターンの制御信号を出力するようになっている。電力パターンは半波１個毎に負荷４へ電力を供給（オン）する電力供給部（図７においてハッチングを付した部分）と、電力供給を遮断（オフ）する非供給部との組み合わせで種々の電力パターンが構成されている。
【００３１】
図７（ａ）は、制御回路３の出力端子への制御信号が全期間に亘ってハイ状態に維持され、交流電源１からの交流電力が負荷４へ全く供給されない状態を示すパターン１である。図７（ｂ）は、制御回路３の出力端子から基本単位の最初の半波の立ち上がりとなるゼロクロス点に対して少なくとも多少進相した時点（少なくとも半周期以内）でロー状態に反転し、半周期でハイ状態に復帰する制御信号を出力することによって得られるもので、基本単位内の１個目の半波をオンした状態を示すパターン２である。図７（ｃ）は、図７（ｂ）と同じ時点で制御信号をロー状態に反転させると共に１周期でハイ状態に復帰する制御信号を出力することによって得られるもので、基本単位内において１個目と２個目の半波をオンした状態を示すパターン３である。図７（ｄ）は、全期間ロー状態の制御信号を出力することによって得られるもので、基本単位内の３個の半波全てをオンした状態を示すパターン４である。従って、交流電源１の出力電圧をＡＣ１００Ｖとし、負荷４の抵抗を１０Ωとした場合、負荷４に対して、図７（ａ）のパターン１では０Ｗ、図７（ｂ）のパターン２では３３３Ｗ、図７（ｃ）のパターン３では６６７Ｗ、図７（ｄ）のパターン４では１０００Ｗの各出力電力が設定できることとなる。
【００３２】
この第５実施形態では、かかる設定電力に加えて、あるいはかかる電力パターンを用いて、図８に示す２種類のパターンを出力し得るようにしている。すなわち、図８において、（ａ）は負荷４への交流電力の供給を、パターン２とパターン４の２種類の電力パターンをこの順で繰り返して行うものであり、（ｂ）はパターン２、パターン１、パターン４の３種類の電力パターンをこの順で繰り返して行うものである。
【００３３】
制御回路３は、図７に示す基本単位としてのパターン１〜パターン４の制御信号が出力可能に設定されていると共に、図８に示すような複合された電力パターンにかかる制御信号も出力可能に設定されており、例えば設定操作等により所望する電力パターン（複合した電力パターン含む）での制御信号が出力し得るようになっている。
【００３４】
このようにすれば、図８（ａ）では平均供給電力を（３３３Ｗ＋１０００Ｗ）／２＝６６６Ｗに設定でき、図８（ｂ）では（３３３Ｗ＋６６６Ｗ＋１０００Ｗ）／３＝４４４Ｗに設定できる。従って、この実施形態によれば、０Ｗ、３３３Ｗ、６６６Ｗ、１０００Ｗと離散的にしか供給電力を可変できなかった第４実施形態に比して、４４４Ｗと６６６Ｗとがさらに設定可能となり、より任意の供給電力を設定することができることとなる。
【００３５】
図９は本発明に係る交流電力制御方法の第６実施形態を示す波形図である。なお、回路構成は図２に示す回路と同一である。本実施形態では、制御回路３は交流電源１の交流電力波形として、図７に示すような基本単位としてのパターン１〜パターン４の制御信号が出力可能に設定されており、かかる設定電力に加えて、あるいはかかる電力パターンを用いて、図９に示す２種類の電力を出力し得るようにしている。すなわち、図９において、（ａ）は負荷４への交流電力の供給を、パターン２とパターン３の２個の電力パターンをこの順で繰り返して行うものであり、（ｂ）はパターン２、パターン３、パターン４、パターン４、パターン３という５個の電力パターンをこの順で繰り返して行うものである。
【００３６】
制御回路３は、図７に示す基本単位としてのパターン１〜パターン４の制御信号が出力可能に設定されていると共に、図９に示すような複合されたパターンにかかる制御信号も出力可能に設定されており、かかる設定電力に加えて、あるいはかかる電力パターンを用いて、図９に示す２種類の電力を出力し得るようにしている。
【００３７】
このようにすれば、図９（ａ）では平均供給電力を（３３３Ｗ＋６６６Ｗ）／２＝５００Ｗに設定でき、図９（ｂ）では（３３３Ｗ＋６６６Ｗ＋１０００Ｗ＋１０００Ｗ＋６６６Ｗ）／５＝７３３Ｗに設定できる。従って、この実施形態によれば、０Ｗ、３３３Ｗ、６６６Ｗ、１０００Ｗと離散的にしか供給電力を可変できなかった第４実施形態に比して、５００Ｗと７３３Ｗとがさらに設定可能となり、より任意の供給電力を設定することができることとなる。また、図９（ａ）の場合、パターン２とパターン３との電力差は３３３Ｗであり、さらに図９（ｂ）の場合において、パターン２とパターン３との電力差は３３３Ｗであり、パターン３とパターン４との電力差も３３３Ｗであり、全ての隣り合う電力パターンの切り換えによる電力の差は３３３Ｗと小さいため、電力の切り換えを滑らかにでき、フリッカーの値を小さくでき、これによりフリッカーの問題が軽減できる。
【００３８】
図１０〜図１２は本発明に係る交流電力制御方法の第７実施形態を示す各波形図である。なお、回路構成は図２に示す回路と同一である。本実施形態では、制御回路３は交流電源１の交流電力波形として、図７に示すような基本単位としてのパターン１〜パターン４の制御信号が出力可能に設定されており、この第７実施形態では、かかる設定電力に加えて、あるいはかかる電力パターンを用いて、図１０〜図１２に示す電力を出力し得るようにしている。すなわち、本実施形態では２種類の電力パターンの構成比を適宜設定することで任意の出力を得るものである。
【００３９】
図１０は負荷４への交流電力の供給を、パターン１とパターン４の２種類のパターンを１：１の割合（比率）で構成したものであって、（ａ）はパターン１，パターン２，パターン４，パターン４からなる構成をこの順で繰り返すものであり、（ｂ）はパターン１、パターン４からなる構成をこの順で繰り返しすものである。これらの複合されたパターンの構成により５００Ｗを得ることができる。
【００４０】
図１１はパターン２とパターン３の２種類のパターンを１：１の割合（比率）で構成したものであって、（ａ）はパターン２，パターン２，パターン３，パターン３からなる構成をこの順で繰り返すものであり、（ｂ）はパターン２、パターン３からなる構成をこの順で繰り返しすものである。これらの複合されたパターンの構成により５００Ｗを得ることができる。
【００４１】
図１２は構成割合が１：１以外の一例を示すものとして、パターン１とパターン４とを４：１の割合としたもので、パターン１，パターン１，パターン１，パターン１、パターン４からなる構成をこの順で繰り返すことで、２００Ｗを得ることができる。このように、２種類のパターンの構成割合を任意に設定することで所望の電力を得ることが可能となる。使用する電力パターンの種類は２種類に限定されず、３種類でもよいし、それ以上でもよい。
【００４２】
制御回路３は、図７に示す基本単位としてのパターン１〜パターン４の制御信号が出力可能に設定されていると共に、図１０、図１１、図１２に示すような複合されたパターンにかかる制御信号も出力可能に設定されている。
【００４３】
このようにすれば、０Ｗ、３３３Ｗ、６６６Ｗ、１０００Ｗと離散的にしか供給電力を可変できなかった第４実施形態に比して、５００Ｗと２００Ｗとがさらに設定可能となり、また、少なくとも２種類以上の電力パターンを用いて、それらを任意の構成割合にして複合することで所望する供給電力を設定することができることとなる。
【００４４】
図１３、図１４は、本発明に係る交流電力供給装置の第８実施形態を説明するもので、図１３はブロック図、図１４は動作説明のためのタイミングチャートである。
【００４５】
図１３において、交流電源１〜負荷４の構成は基本的に図１と同様である。検知ブロック６は負荷４の状態乃至はその出力を検知するものである。制御ブロック７は検知ブロック６から出力される検知信号のレベルなどに対応して、例えば図７に示すパターン１〜パターン４を示すパターン指示信号に変換して制御回路３に出力するものである。この制御ブロック７は、例えば、供給電力の増加方向に対しては、パターン１、パターン２、パターン３、パターン４のように１ステップずつアップ変更可能にされており、逆に供給電力の低減方向に対しては、パターン４、パターン３、パターン２、パターン１のように１ステップずつダウン変更可能にされている。例えば負荷４としてヒータが採用されている場合、検知ブロック６は温度センサである。
【００４６】
次に、図１４を用いて電力制御動作を説明する。まず制御ブロック７は初期値としてパターン１を選択しているとする。従って、制御回路３は制御ブロック７からパターン１のパターン指示信号を受けて、パターン１の電力供給、すなわち交流電力の供給が停止された状態とされている（図１４（ｃ）の最初の基本単位の期間Ｔ１）。次に、検知ブロック６が負荷の状態を検知し、例えば検知温度が、制御ブロックに予め設定されている目標値（図１４（ａ）の太線）に比して低い場合には、制御ブロック７は次の基本単位において現在指示中のパターン１を電力増加方向に１ステップ、すなわちパターン２に変更し、このパターン２のパターン指示信号を出力する。この結果、制御回路３はパターン２の制御信号をスイッチング回路２に出力し、図７に示す例では半波３個のうちの１個分の交流電力が負荷４に供給されることになる（図１４（ｃ）の期間Ｔ２）。次いで、期間Ｔ２の終了直前に検知ブロック６より検知された検知出力が目標値以下であれば、制御ブロック７は次の基本単位において電力パターンを現在のパターン２から１ステップアップしたパターン３に変更する（図１４（ｃ）の期間Ｔ３）。従って、期間Ｔ３の間は、半波３個のうち半波２個分の交流電力が負荷４に供給される。期間Ｔ３の終了直前では負荷４の状態が目標値を越えているので、制御ブロック７は検知ブロック６からの検知信号を受けて、次の基本単位においてパターンを１ステップダウンさせるべく、電力パターンをパターン３からパターン２に変更する（図１４（ｃ）の期間Ｔ４）。以後、検知ブロック６の検知結果と目標値とを比較して、制御ブロック７は電力パターンを１ステップずつアップあるいはダウンさせながら、負荷４の状態が目標値に維持されるよう制御する（図１４（ｃ）の期間Ｔ５以降）。
【００４７】
図１５、図１６は、本発明に係る交流電力供給装置の第９実施形態を説明するもので、図１５はブロック図、図１６は動作説明のためのタイミングチャートである。
【００４８】
図１５において、交流電源１〜検知ブロック６の構成は図１３と同様である。設定装置８は図略のマニュアル操作部を備え、この操作部を操作することで、あるいは他の要素を加味して自動設定される目標値が任意又は所定の段階に設定し得るようになっており、制御ブロック７１は検知ブロック６から出力される検知信号と設定装置８からの目標値とを比較して、例えば図７に示すパターン１〜パターン４を示すパターン指示信号に変換して制御回路３に出力するものである。この制御ブロック７１は、例えば、供給電力の増加方向に対しては、パターン１、パターン２、パターン３、パターン４のように１ステップずつアップ変更可能にされており、逆に供給電力の低減方向に対しては、パターン４、パターン３、パターン２、パターン１のように１ステップずつダウン変更可能にされている。例えば負荷４としてヒータが採用されている場合、検知ブロック６は温度センサである。
【００４９】
次に、図１６を用いて電力制御動作を説明する。まず制御ブロック７１は初期値としてパターン１を選択しているとする。従って、制御回路３は制御ブロック７からパターン１のパターン指示信号を受けて、パターン１の電力供給、すなわち交流電力の供給が停止された状態にある（図１６（ｃ）の最初の基本単位の期間Ｔ１）。次に、検知ブロック６が負荷の状態を検知し、例えば検知温度が、制御ブロックに予め設定されている目標値（図１６（ａ）の太線）に比して低い場合には、制御ブロック７１は次の基本単位において現在指示中のパターン１を電力増加方向に１ステップ、すなわちパターン２に変更し、このパターン２のパターン指示信号を出力する。この結果、制御回路３はパターン２の制御信号をスイッチング回路２に出力し、図７に示す例では半波３個のうちの１個分の交流電力が負荷４に供給されることになる（図１６（ｃ）の期間２）。期間Ｔ２の終了直前では負荷４の状態が目標値を越えているので、制御ブロック７１は検知ブロック６からの検知信号を受けて、次の基本単位においてパターンを１ステップダウンさせるべく、電力パターンをパターン２からパターン１に変更する（図１６（ｃ）の期間Ｔ３）。以後、検知ブロック６の検知結果と目標値とを比較して、制御ブロック７１は電力パターンを１ステップ、アップあるいはダウンしながら、負荷４の状態が目標値に維持されるよう制御する（図１６（ｃ）の期間Ｔ３〜Ｔ５）。
【００５０】
一方、期間Ｔ５の途中で設定装置８が操作されて目標値が例えばアップ側に変更されたとすると、期間Ｔ５の終了直前では検知ブロック６の検知結果は新たな目標値に比して低いので、制御ブロック７１は電力パターンを現パターン１からパターン２に変更し、更に次の期間Ｔ６，Ｔ７でも同様に検知結果が目標値より低いので、１ステップずつ電力パターンがアップ、すなわち期間Ｔ７ではパターン３に、期間Ｔ８ではパターン４に変更される。以後、検知ブロック６の検知結果と新たな目標値とを比較して、制御ブロック７１は電力パターンを１ステップずつ、アップあるいはダウンしながら、負荷４の状態が現目標値に維持されるよう制御する（図１６（ｃ）の期間Ｔ９、Ｔ１０参照）。
【００５１】
図１７、図１８は、本発明に係る交流電力供給装置の一実施例を説明するもので、図１７はブロック図、図１８は本発明が適用されるヘアードライヤの概略構造図である。
【００５２】
図１７において、交流電源１〜設定装置８の基本構成は図１５と実質同様である。設定装置８は図略のマニュアル操作部を備え、この操作部を操作することで目標値が任意又は所定の段階に設定し得るようになっており、制御ブロック７１は検知ブロック６から出力される検知信号と設定装置８からの目標値とを比較して、例えば図７に示すパターン１〜パターン４を示すパターン指示信号に変換して制御回路３に出力するものである。この制御ブロック７１は、例えば、供給電力の増加方向に対しては、パターン１、パターン２、パターン３、パターン４のように１ステップずつアップ変更可能にされており、逆に供給電力の低減方向に対しては、パターン４、パターン３、パターン２、パターン１のように１ステップずつダウン変更可能にされている。本実施形態では負荷４としてヘアードライヤのヒータ４１が採用され、検知ブロック６としてサーミスタ６１が採用されている。サーミスタ６１はヒータ４１の適所に接触乃至は近接して配置されヒータ温度を適切に検知し、あるいはヒータを通過した空気の通路に置かれて空気温度をヒータ温度として検知するようにしてある。
【００５３】
ヘアードライヤは、その一例を図１８に示すように、送風装置を収納した送風部１０と、ヒータ（図略）を収納したヒータ収納筒部２０と、各種スイッチ及び制御基板類が設けられたハンドル部３０とから構成されている。送風部１０の内部ほぼ中央位置には送風用のモータ１１が配設され、その回転軸に送風ファン１２が回転可能に連結されて、後面部の吸気用スリット１３から外気を吸引し、前方のヒータ収納筒部２０に向けて送風するようになっている。図略のヒータは例えばニクロム線等の電力供給を受けてオーム損で発熱するもので、送風ファン１２を通過した空気を所望温度に暖めて前方の送風口２１から外部へ送り出すものである。ハンドル部３０には、各操作部分がマニュアル操作可能なように表面に露出した状態で、メインスイッチ３１と、風量切り換えスイッチ３２と、風温切り換えスイッチ３３（図１７の設定装置８に相当）とが設けられ、内部には各スイッチに応じて電源オンオフの他、風量や風温を切り換える、図１７に示す回路ブロックを搭載する基板３４などが収納されている。例えば風温切り換えスイッチ３３は操作時のみ一時的にターボ的にヒータ電流を上昇させて風温を上昇させる方式のものでもよいし、設定された複数の目標温度値を操作毎に１段ずつアップ又はダウンするようにしたものでもよく、あるいは操作毎に複数の目標温度値がサイクリックに変更設定されるタイプであってもよい。また、送風量（送風ファンの回転速度）の変更に応答して風温（あるいはヒータ温度）が一定に維持されるように温度目標値が自動調整されるタイプにも同様に適用可能である。
【００５４】
基板３４と交流電源１と接続するためにハンドル部３０から引き出されたリード線の先端にはプラグ４ａが設けられている。そして、電力供給制御は、第８、第９実施形態に示したと同じ方法が採用され、これにより、風温切り換えスイッチ３３で設定された温度目標値に追随するように、交流電源１から交流電力が供給される。
【００５５】
なお、本発明は、負荷としてヘアドライヤのヒータの他、電力制御によるモータの回転数制御や照明の明るさ制御など、交流電力で動作（仕事）可能な種々の部材に対して適用可能である。
【００５６】
【発明の効果】
請求項１及び２記載の発明によれば、交流電力波形のゼロクロス時点で切り換えを行うため、特に大電流を流す負荷に対し、制御を行う時に発生するスイッチングノイズを低減でき、また、スイッチングによる電流波形の乱れも生じないので高調波電流も低減できる。また、負荷に対し離散的な電力の供給制御が可能となる。また、交流電力波形の上下の面積が等しくなるので、高調波電流が低減される。また、電力変化が少ないためフリッカーを低減することができる。そして、１個の電力パターンの切り換えによる電力変化に比してさらに細かな電力供給制御ができる。さらに、隣り合う電力パターンとの電力変化（電力差）が少ない分、フリッカーを低減できる。また、切り換え比（構成比）を適宜設定することで、任意の供給電力を得ることができる。
【００５７】
請求項３記載の発明によれば、負荷の状態（出力）を設定値になるように電力パターンの切り換えが細かくできる。
【００５８】
請求項４記載の発明によれば、負荷状態を所望の状態に設定することができる。
【００５９】
請求項５記載の発明によれば、ヘアードライヤのような小型の機器に容易に応用することができる。
【図面の簡単な説明】
【図１】  本発明に係る交流電力供給装置のブロック図である。
【図２】  図１の回路構成図である。
【図３】  交流電力制御の基本動作を説明するためのタイミングチャートで、（ａ）は制御回路の出力端子から出力される制御信号図、（ｂ）はフォトトライアックの動作状態をオンオフで示す図、（ｃ）は負荷へ供給される電力波形図である。
【図４】  本発明に係る交流電力制御方法の第２実施形態を示す波形図である。
【図５】  本発明に係る交流電力制御方法の第３実施形態を示す波形図である。
【図６】  本発明に係る交流電力制御方法の第４実施形態を示す波形図である。
【図７】  本発明に係る交流電力制御方法の第５実施形態を示す波形図である。
【図８】  本発明に係る交流電力制御方法の第５実施形態を示す波形図である。
【図９】  本発明に係る交流電力制御方法の第６実施形態を示す波形図である。
【図１０】  本発明に係る交流電力制御方法の第７実施形態を示す各波形図である。
【図１１】  本発明に係る交流電力制御方法の第７実施形態を示す各波形図である。
【図１２】  本発明に係る交流電力制御方法の第７実施形態を示す各波形図である。
【図１３】  本発明に係る交流電力供給装置の第８実施形態を説明するブロック図である。
【図１４】  図１３の動作説明のためのタイミングチャートである。
【図１５】  本発明に係る交流電力供給装置の第９実施形態を説明するブロック図である。
【図１６】  図１５の動作説明のためのタイミングチャートである。
【図１７】  本発明に係る交流電力供給装置の一実施例を説明するブロック図である。
【図１８】  図１７のブロック図が適用されるヘアードライヤの概略構造図である。
【図１９】  従来の制御方法を説明するための図で、（ａ）は位相制御、（ｂ）はオン／オフ制御を示す波形図である。
【符号の説明】
１  交流電源
２  スイッチング回路
２ａ  トライアック
３  制御回路（電力パターン生成回路）
４  負荷
４１  ヒータ
５  フォトトライアック部（ゼロクロス検出手段）
５１  発光ダイオード
５２  フォトトライアック
６  検知ブロック
６１  サーミスタ
７、７１  制御ブロック（切換制御回路）
８  設定装置
【図１】
0003870648.tif 000002
【図２】
0003870648.tif 000003
【図３】
0003870648.tif 000004
【図４】
0003870648.tif 000005
【図５】
0003870648.tif 000006
【図６】
0003870648.tif 000007
【図７】
0003870648.tif 000008
【図８】
0003870648.tif 000009
【図９】
0003870648.tif 000010
【図１０】
0003870648.tif 000011
【図１１】
0003870648.tif 000012
【図１２】
0003870648.tif 000013
【図１３】
0003870648.tif 000014
【図１４】
0003870648.tif 000015
【図１５】
0003870648.tif 000016
【図１６】
0003870648.tif 000017
【図１７】
0003870648.tif 000018
【図１８】
0003870648.tif 000019
【図１９】
0003870648.tif 000020